(57)【特許請求の範囲】
【請求項１】
互いの間に空間を設けつつ厚み方向に積層配置された第１電子回路基板及び第２電子回路基板と、
上記第１電子回路基板と上記第２電子回路基板との間に配されて両者を保持するステーとを備え、
上記第１電子回路基板は、上記第２電子回路基板と積層方向において重ならない開放部を、少なくとも上記第１電子回路基板における一つの端縁である第１前方端縁に沿って有し、
上記開放部には、上記ステーの少なくとも一部よりも積層方向における上記第２電子回路基板側へ突出した高背電子部品が実装されており、
上記第２電子回路基板は、上記開放部側の端縁である第２前方端縁において、上記開放部側を向いた信号コネクタを、上記第１電子回路基板と反対側の面に実装しており、
上記信号コネクタには、積層方向における上記第１電子回路基板よりも上記第２電子回路基板と反対側から延びた信号ケーブルが接続されており、
該信号ケーブルは、上記第１前方端縁の外側に配された上記ステーの壁部である前方壁部の外側を通り、上記開放部を超えて上記信号コネクタに接続されており、
上記前方壁部には、積層方向における上記第２電子回路基板側へ隆起した隆起部が形成され、
積層方向から見たとき、上記隆起部と上記信号コネクタとの間に、上記高背電子部品が配置していることを特徴とする電力変換装置。
【請求項２】
請求項１に記載の電力変換装置において、上記前方壁部は、上記信号ケーブルを保持するケーブル保持部を外側面に備え、積層方向から見たとき、上記ケーブル保持部と上記信号コネクタとの間に、上記隆起部および上記高背電子部品が配置していることを特徴とする電力変換装置。
【請求項３】
請求項１又は２に記載の電力変換装置において、上記隆起部は、積層方向において、上記高背電子部品よりも上記第２電子回路基板側へ突出していることを特徴とする電力変換装置。
【請求項４】
請求項１〜３のいずれか一項に記載の電力変換装置において、上記第１電子回路基板と上記第２電子回路基板とを電気的に接続する基板間ケーブルを備え、上記第１電子回路基板及び上記第２電子回路基板は、上記第１前方端縁及び上記第２前方端縁と反対側の端縁である第１後方端縁及び第２後方端縁において、上記基板間ケーブルを接続するための基板間接続用コネクタを配設してなることを特徴とする電力変換装置。
【発明の詳細な説明】
【技術分野】
【０００１】
本発明は、複数枚の電子回路基板を備えたインバータやコンバータ等の電力変換装置に関する。
【背景技術】
【０００２】
例えば、電気自動車やハイブリッド自動車等には、電源電力から駆動用モータを駆動するための駆動用電力に変換するためのインバータやコンバータ等の電力変換装置が搭載されている。かかる電力変換装置は、複数の半導体モジュールのスイッチング動作によって電力変換を行っている。
そして、電力変換装置には、上記複数の半導体モジュールをスイッチング駆動させるための駆動回路や、各種車両情報を基に駆動状態を制御するための制御回路等を有する電子回路基板が搭載されている。
【０００３】
この電子回路基板としては、特許文献１に示すごとく、高圧系用と低圧系用の２枚の基板を用いることがある。たとえば、駆動回路を構成した高圧系の電子回路基板と、制御回路を構成した低圧系の電子回路基板とを用いることがある。２枚の電子回路基板を電力変換装置内に配置する際には、互いの間に空間を設けつつ厚み方向に積層するように配置する。このとき、２枚の電子回路基板の間には、金属製のステーを介在させている。すなわち、図１２、図１３に示すごとく、２枚の電子回路基板９２を、その端部付近においてステー９３を介して互いに固定してある。また、互いに固定された二枚の電子回路基板９２は、電力変換装置９の主回路部９４のフレーム９４３に固定されることとなる。
【先行技術文献】
【特許文献】
【０００４】
【特許文献１】特開２００９−１５９７６７号公報
【発明の概要】
【発明が解決しようとする課題】
【０００５】
しかしながら、上記電力変換装置９においては、以下の問題がある。
すなわち、２枚の電子回路基板９２のうちの一方の電子回路基板（以下、これを第１電子回路基板９２１という。）を挟んで反対側から延びる信号ケーブルを、他方の電子回路基板（以下、これを第２電子回路基板９２２という。）に対して接続する場合がある。例えば、電力変換装置９のケースに設けた外部端子に一端を接続すると共に主回路部９４側から延びる信号ケーブルの他端を、第２電子回路基板９２２の端縁に配設した信号コネクタに接続する場合である。かかる場合において、信号ケーブルが２枚の電子回路基板９２の広がり方向になるべく突出しないようにしようとすると、信号ケーブルを第２電子回路基板９２２の端縁付近（信号コネクタの付近）において大きく屈曲させることとなり、信号ケーブルや、信号コネクタにかかる物理的負荷が大きくなってしまう。
【０００６】
そこで、第１電子回路基板が第２電子回路基板と重なっていない開放部を向いた端縁に、信号コネクタを配置することにより、信号ケーブルを信号コネクタの付近で屈曲させなくてもよい構成とすることが考えられる。これにより、信号ケーブルや信号コネクタにかかる物理的負荷を低減することができる。
【０００７】
ところが、この場合、信号ケーブルが、第１電子回路基板の一部である開放部に対向する空間を通過することとなる。この開放部に背の高い電子部品が配置されていると、電子部品と信号ケーブルとが干渉してしまうという問題が生じる（後述する比較例、図１１参照）。
【０００８】
本発明は、かかる背景に鑑みてなされたもので、信号ケーブル及び信号コネクタにかかる物理的負荷を低減すると共に、第１電子回路基板の開放部に配された高背電子部品に信号ケーブルが干渉することを防ぐことができる電力変換装置を提供しようとするものである。
【課題を解決するための手段】
【０００９】
本発明の一態様は、互いの間に空間を設けつつ厚み方向に積層配置された第１電子回路基板及び第２電子回路基板と、
上記第１電子回路基板と上記第２電子回路基板との間に配されて両者を保持するステーとを備え、
上記第１電子回路基板は、上記第２電子回路基板と積層方向において重ならない開放部を、少なくとも上記第１電子回路基板における一つの端縁である第１前方端縁に沿って有し、
上記開放部には、上記ステーの少なくとも一部よりも積層方向における上記第２電子回路基板側へ突出した高背電子部品が実装されており、
上記第２電子回路基板は、上記開放部側の端縁である第２前方端縁において、上記開放部側を向いた信号コネクタを、上記第１電子回路基板と反対側の面に実装しており、
上記信号コネクタには、積層方向における上記第１電子回路基板よりも上記第２電子回路基板と反対側から延びた信号ケーブルが接続されており、
該信号ケーブルは、上記第１前方端縁の外側に配された上記ステーの壁部である前方壁部の外側を通り、上記開放部を超えて上記信号コネクタに接続されており、
上記前方壁部には、積層方向における上記第２電子回路基板側へ隆起した隆起部が形成され、
積層方向から見たとき、上記隆起部と上記信号コネクタとの間に、上記高背電子部品が配置していることを特徴とする電力変換装置にある（請求項１）。
【発明の効果】
【００１０】
上記電力変換装置においては、上記第２電子回路基板に実装された上記信号コネクタが、上記開放部側の端縁である上記第２前方端縁において、上記開放部側を向いて配置されている。これにより、積層方向における上記第１電子回路基板よりも上記第２電子回路基板と反対側から延びた上記信号ケーブルが、上記開放部側から上記信号コネクタに接続されることとなる。そのため、上記信号ケーブルを、上記信号コネクタ付近において大きく屈曲させる必要がない。つまり、信号ケーブルにおける信号コネクタに近い部分は、開放部に対向する空間を通過することとなり、この部分においては、第１電子回路基板及び第２電子回路基板に対して略平行にすることができる。それゆえ、信号コネクタ付近において、信号ケーブルを大きく曲げる必要がない。その結果、信号ケーブル及び信号コネクタにかかる物理的負荷を低減することができる。
【００１１】
ここで、開放部に背の高い電子部品である上記高背電子部品が実装されていると、一般的には、該高背電子部品に対して、開放部に対向する空間を通過する信号ケーブルが干渉することが懸念される。そこで、上記電力変換装置においては、上記ステーの上記前方壁部に上記隆起部を形成してある。そして、隆起部と信号コネクタとの間に高背電子部品が配置されるよう構成されている。これにより、積層方向から見たときに高背電子部品と重なる信号ケーブルは、隆起部の上面、すなわち積層方向における第２電子回路基板側の面に支承されながら、信号コネクタに接続されることとなる。これにより、開放部に対向する空間に配置される信号ケーブルを、第１電子回路基板から所定距離以上離すことができ、信号ケーブルが高背電子部品に干渉することを防ぐことができる。
【００１２】
以上のごとく、本発明によれば、信号ケーブル及び信号コネクタにかかる物理的負荷を低減すると共に、第１電子回路基板の開放部に配された高背電子部品に信号ケーブルが干渉することを防ぐことができる電力変換装置を提供することができる。
【図面の簡単な説明】
【００１３】
【図１】実施例１における、電力変換装置の断面説明図であり、図３のＩ−Ｉ線矢視断面相当の説明図。
【図２】実施例１における、電力変換装置の断面説明図であり、図３のII−II線矢視断面相当の説明図。
【図３】実施例１における、電力変換装置の一部の平面説明図。
【図４】実施例１における、図３のIV矢視相当の電力変換装置の一部の説明図。
【図５】実施例１における、信号ケーブル及び基板間ケーブルを接続する前の状態の電力変換装置の一部の平面説明図。
【図６】図５のVI矢視図。
【図７】図５のVII矢視図。
【図８】実施例１における、隆起部及びその周囲の断面説明図。
【図９】実施例２における、凸状ガイド部を有する隆起部及びその周囲の断面説明図。
【図１０】実施例２における、保持片を有する隆起部及びその周囲の断面説明図。
【図１１】比較例における、電力変換装置の一部の断面説明図。
【図１２】背景技術における、電力変換装置の断面説明図。
【図１３】背景技術における、２枚の電子回路基板及びステーの斜視説明図。
【発明を実施するための形態】
【００１４】
上記電力変換装置は、上記信号ケーブル及び上記信号コネクタを、それぞれ一つ有していてもよいし、複数有していてもよい。
また、上記高背電子部品は、積層方向から見たとき、上記第２前方端縁よりも、上記第１前方端縁に近い位置に形成されているものとすることができ、また、上記第１前方端縁に隣接する位置に実装されているものとすることができる。この場合、上記隆起部を設けたことによる作用効果を充分に発揮することができる。
【００１５】
また、上記前方壁部は、上記信号ケーブルを保持するケーブル保持部を外側面に備え、積層方向から見たとき、上記ケーブル保持部と上記信号コネクタとの間に、上記隆起部および上記高背電子部品が配置していることが好ましい（請求項２）。この場合において、上記ケーブル保持部によって、上記信号コネクタを所定の位置に保持することができる。また、上記ケーブル保持部と上記信号コネクタとの間に、上記隆起部および上記高背電子部品が配置するようにすることで、高背電子部品と信号ケーブルとの干渉を、上記隆起部によって防ぐことができる。
【００１６】
また、上記隆起部は、積層方向において、上記高背電子部品よりも上記第２電子回路基板側へ突出していることが好ましい（請求項３）。この場合には、より確実に、上記高背電子部品と信号ケーブルとの干渉を防ぐことができる。
【００１７】
また、上記電力変換装置は、上記第１電子回路基板と上記第２電子回路基板とを電気的に接続する基板間ケーブルを備え、上記第１電子回路基板及び上記第２電子回路基板は、上記第１前方端縁及び上記第２前方端縁と反対側の端縁である第１後方端縁及び第２後方端縁において、上記基板間ケーブルを接続するための基板間接続用コネクタを配設してなることが好ましい（請求項４）。この場合には、上記信号コネクタと上記基板間接続用コネクタとを、第２電子回路基板における反対側の端縁に配置することとなり、これらの搭載スペースを確保しやすい。また、信号ケーブルと基板間ケーブルとが、第２電子回路基板を挟んで反対側に配されることとなるため、信号ケーブル及び基板間ケーブルの配置スペースを確保しやすく、また、両者間における電磁ノイズの影響を防ぐことができる。
【実施例】
【００１８】
（実施例１）
上記電力変換装置の実施例につき、図１〜図８を用いて説明する。
本例の電力変換装置１は、図１〜図３に示すごとく、互いの間に空間を設けつつ厚み方向に積層配置された第１電子回路基板２１及び第２電子回路基板２２と、第１電子回路基板２１と第２電子回路基板２２との間に配されて両者を保持するステー３とを備えている。
【００１９】
第１電子回路基板２１は、図５〜図７に示すごとく、第２電子回路基板２２と積層方向Ｚにおいて重ならない開放部２１０を、少なくとも第１電子回路基板２１における一つの端縁である第１前方端縁２１１に沿って有する。
開放部２１０には、ステー３の少なくとも一部よりも積層方向Ｚにおける第２電子回路基板２２側へ突出した高背電子部品１１が実装されている。本例において、この高背電子部品１１はトランスである。
【００２０】
第２電子回路基板２２は、開放部２１０側の端縁である第２前方端縁２２１において、開放部２１０側を向いた信号コネクタ１２１を、第１電子回路基板２１と反対側の面に実装している。
図１、図３、図４に示すごとく、信号コネクタ１２１には、積層方向Ｚにおける第１電子回路基板２１よりも第２電子回路基板２２と反対側から延びた信号ケーブル１３１が接続されている。
【００２１】
信号ケーブル１３１は、第１前方端縁２１１の外側に配されたステー３の壁部である前方壁部３１の外側を通り、開放部２１０を超えて信号コネクタ１２１に接続されている。
前方壁部３１には、積層方向Ｚにおける第２電子回路基板２２側（以下において、この方向を適宜「上方」といい、その反対側を適宜「下方」という。）へ隆起した隆起部３２が形成されている。
【００２２】
そして、図５に示すごとく、積層方向Ｚから見たとき、隆起部３２と信号コネクタ１２１との間に、高背電子部品１１が配置している。
高背電子部品１１は、図６、図７に示すごとく、ステー３の前方壁部３１における隆起部３２以外の部位よりも、上方へ突出している。そして、隆起部３２は、積層方向Ｚにおいて、高背電子部品１１よりも上方へ突出している。
【００２３】
図５に示すごとく、第１電子回路基板２１及び第２電子回路基板２２は、いずれも略長方形状の基板であるが、第１電子回路基板２１は第２電子回路基板２２よりもその面積が大きい。この面積が大きい分、２枚の電子回路基板を積層したとき、第１電子回路基板２１に開放部２１０が形成されることとなる。
【００２４】
本例において、第１電子回路基板２１は、複数の半導体モジュール４１（図１、図２参照）をスイッチング駆動させるための駆動回路を有する比較的高電圧の高圧系の電子回路基板であり、第２電子回路基板２２は、各種車両情報を基に駆動状態を制御するための制御回路を有する低圧系の電子回路基板である。
【００２５】
図１、図２に示すごとく、電力変換装置１は、スイッチング素子を内蔵した複数の半導体モジュール４１を備えており、複数の半導体モジュール４１の制御端子４１１は、第１電子回路基板２１に接続されている。第１電子回路基板２１は、積層方向Ｚにおいて、第２電子回路基板２２よりも、半導体モジュール４１側（下方）に位置している。
【００２６】
複数の半導体モジュール４１は、半導体モジュール４１を冷却するための冷却器を構成する複数の冷却管４２と、交互に積層されている。この半導体モジュール４１と冷却管４２との積層方向は、第１電子回路基板２１と第２電子回路基板２２との積層方向Ｚと直交している。本明細書においては、半導体モジュール４１と冷却管４２との積層方向を、便宜的に前後方向Ｘというものとする。
【００２７】
この前後方向Ｘは、第１電子回路基板２１及び第２電子回路基板２２における第１前方端縁２１１及び第２前方端縁２２１が向く方向と平行であり、第１前方端縁２１１及び第２前方端縁２２１が向く方向を前方、その反対側を後方と、便宜的にいうものとする。
【００２８】
第１電子回路基板２１及び第２電子回路基板２２は、それぞれ、複数個所において、ステー３における互いに反対側の面から積層方向Ｚへ突出したボス３３に対して、ビス３４によって締結固定されている。ステー３は、例えばステンレス鋼やアルミニウム等の金属成形体からなり、積層方向Ｚから見て略長方形の枠体を構成している。第１電子回路基板２１は、第１前方端縁２１１を含めた三辺の端縁を、ステー３の略長方形の三辺に沿わせるように配置してある。
【００２９】
第２電子回路基板２２は、第２前方端縁２２１と直交する二辺を、ステー３の二辺に沿うように配置し、第２前方端縁２２１を第１電子回路基板２１の第１前方端縁２１１よりも後退した位置に配置している。これにより、第１電子回路基板２１に、開放部２１０を形成している。また、第２電子回路基板２２における第２前方端縁２２１と反対側の端縁である第２後方端縁２２２は、第１電子回路基板２１における第１前方端縁２１１と反対側の端縁である第１後方端縁２１２と、前後方向Ｘにおいて同じ位置に配置している。そして、その位置は、ステー３における前方壁部３１と反対側の壁部である後方壁部３７よりも前方である。
【００３０】
図１、図３、図４に示すごとく、前方壁部３１は、信号ケーブル１３１を保持するケーブル保持部３５を外側面に備え、積層方向Ｚから見たとき、ケーブル保持部３５と信号コネクタと１２１の間に、隆起部３２および高背電子部品１１が配置している。
ケーブル保持部３５は、図３、図５に示すごとく、ステー３の前方壁部３１の二箇所から、前方へ延びると共に、前後方向Ｘ及び積層方向Ｚの双方に直交する横方向Ｙにおいて互いに向かい合うように屈曲した一対の保持片３５１からなる。ケーブル保持部３５は、一対の保持片３５１と前方壁部３１との間に信号ケーブル１３１を保持することができるよう構成してある。また、一対の保持片３５１の先端部の間には、信号ケーブル１３１をその長手方向に直交する方向からケーブル保持部３５に嵌入できるようにすべく、隙間が形成されている。
【００３１】
図３、図４に示すごとく、ケーブル保持部３５には、複数本の信号ケーブル１３１が保持されている。そして、第２電子回路基板２２には、複数本の信号ケーブル１３１を接続するために、信号コネクタ１２１を複数個配設してなるが、これらは一体化されていてもよい。
【００３２】
また、図１、図３に示すごとく、電力変換装置１は、第１電子回路基板２１と第２電子回路基板２２とを電気的に接続する基板間ケーブル１３２を備えている。第１電子回路基板２１及び第２電子回路基板２２は、第１後方端縁２１２及び第２後方端縁２２２において、基板間ケーブル１３２を接続するための基板間接続用コネクタ１２２、１２３を配設してなる。
【００３３】
基板間ケーブル１３２は、枠状のステー３の内側において湾曲して折り返されるようにして、第１電子回路基板２１と第２電子回路基板２２とにおける基板間接続用コネクタ１２２、１２３とに接続されている。すなわち、ステー３における後方壁部３７の前方において、基板間ケーブル１３２が第１電子回路基板２１と第２電子回路基板２２とを接続している。
【００３４】
第１電子回路基板２１及び第２電子回路基板２２を保持したステー３は、図１、図２に示すごとく、複数の半導体モジュール４１及びこれを冷却する冷却器（冷却管４２）を内側に保持するフレーム４３に対して固定されている。すなわち、ステー３は、その下方に配されたフレーム４３に固定されている。ステー３は、図２、図３に示すごとく、その外周側に複数の本体固定部３６１を備えている。ボルト３６２を、この本体固定部３６１に設けたボルト挿通孔に挿通すると共に、フレーム４３に設けたボス４３１に螺合することにより、フレーム４３に締結固定されている。
【００３５】
フレーム４３内に配された複数の半導体モジュール４１と複数の冷却管４２とは、前後方向Ｘに交互に積層されており、隣り合う一対の冷却管４２の間には、横方向Ｙに２個の半導体モジュール４１が並んで配置されている。
各半導体モジュール４１は、積層方向Ｚにおいて互いに反対方向に突出した制御端子４１１と主電極端子４１２とを有し、制御端子４１１は、第１電子回路基板２１に設けたスルーホールに接続されている。
【００３６】
図２、図５に示すごとく、第１電子回路基板２１に実装された高背電子部品１１は、横方向Ｙに並んだ一対の半導体モジュール２１にそれぞれ対応するスルーホール群２１３の間に配置されている。また、高背電子部品１１は、第１前方端縁２２１に隣接する位置に実装されており、積層方向Ｚから見たとき、第２電子回路基板２２の第２前方端縁２２１よりも、第１電子回路基板２１の第１前方端縁２１１に近い位置に形成されている。
【００３７】
ステー３の前方壁部３１に形成された隆起部３２は、図８に示すごとく、前後方向Ｘから見た形状において略台形状に形成されている。すなわち、隆起部３２は、上面に略平坦な平坦面３２１を備えると共に、横方向Ｙの両側に斜面３２２を備えている。高背電子部品１１は、横方向Ｙにおいて、隆起部３２の平坦面３２１の両端の内側に収まるように配置されている。ただし、高背電子部品１１と隆起部３２との位置関係は、これに限られるものではなく、隆起部３２と信号コネクタ１２１との間に、高背電子部品１１が配置されていればよい。
【００３８】
信号ケーブル１３１は、隆起部３２の平坦面３２１に支承されつつ、信号コネクタ１２１に接続されている。ここで、複数の信号ケーブル１３１のすべてが隆起部３２の平坦面３２１に支承される必要は特になく、隆起部３２の斜面３２２に支承されたり、前方壁部３１における隆起部３２以外の部分に支承されたりしてもよい。ただし、高背電子部品１１の上方を通過する信号ケーブル１３１は、隆起部３２の平坦面３２１に支承されることとなる。
【００３９】
なお、複数の信号ケーブル１３１の中で、隆起部３１を含めた前方壁部３１に支承されずに信号コネクタ１２１に接続されるものがあってもよい。いずれにしても、前方壁部３１に上記のような隆起部３２が形成されていることにより、信号ケーブル１３１が高背電子部品１１に接触することを防ぐことができる。
【００４０】
また、隆起部３２の大きさや位置、形状等は、高背電子部品１１の高さ、大きさ、配置等に応じて、適宜変更することができる。例えば、隆起部３２の積層方向Ｚにおける高さを変更したり、横方向Ｙにおける平坦部３２１の幅を変更したり、あるいは、隆起部３２を、上記のような略台形状ではなく、矩形状に形成したり、円弧状に形成したりするなどしてもよい。
また、隆起部３２における前方側の角部には、テーパ面や曲面による面取りを施すことが好ましい。これにより、隆起部３２に支承される信号ケーブル１３１にかかる局部的な物理的負荷を緩和することができる。
なお、信号ケーブル１３１における、信号コネクタ１２１との接続側と反対側の端部は、例えば、電力変換装置１のケースに設けられた外部端子に接続される。
【００４１】
次に、本例の作用効果につき説明する。
上記電力変換装置１においては、図１、図３に示すごとく、第２電子回路基板２２に実装された信号コネクタ１２１が、開放部２１０側の端縁である第２前方端縁２２１において、開放部２１０側を向いて配置されている。これにより、積層方向Ｚにおける第１電子回路基板２１よりも第２電子回路基板２２と反対側から延びた信号ケーブル１３１が、開放部２１０側から信号コネクタ１２１に接続されることとなる。そのため、信号ケーブル１３１を、信号コネクタ１２１付近において大きく屈曲させる必要がない。つまり、信号ケーブル１３１における信号コネクタ１２１に近い部分は、開放部２１０に対向する空間を通過することとなり、この部分においては、第１電子回路基板２１及び第２電子回路基板２２に対して略平行にすることができる。それゆえ、信号コネクタ１２１付近において、信号ケーブル１３１を大きく曲げる必要がない。その結果、信号ケーブル１３１及び信号コネクタ１２１にかかる物理的負荷を低減することができる。
【００４２】
ここで、開放部２１０に背の高い電子部品である高背電子部品１１が実装されていると、一般的には、該高背電子部品１１に対して、開放部２１０に対向する空間を通過する信号ケーブル１３１が干渉することが懸念される。そこで、電力変換装置１においては、ステー３の前方壁部３１に隆起部３２を形成してある。そして、隆起部３２と信号コネクタ１２１との間に高背電子部品１１が配置されるよう構成されている。これにより、積層方向Ｚから見たときに高背電子部品１１と重なる信号ケーブル１３１は、隆起部３２の平坦面３２１に支承されながら、信号コネクタ１２１に接続されることとなる。これにより、開放部２１０に対向する空間に配置される信号ケーブル１３１を、第１電子回路基板２１から所定距離以上離すことができ、信号ケーブル１３１が高背電子部品１１に干渉することを防ぐことができる。
【００４３】
また、積層方向Ｚから見たとき、前方壁部３１に形成されたケーブル保持部３５と信号コネクタ１２１との間に、隆起部３２および高背電子部品１１が配置している。これにより、ケーブル保持部３５によって、信号コネクタ１２１を所定の位置に保持することができる。また、ケーブル保持部３５と信号コネクタ１２１との間に、隆起部３２および高背電子部品１１が配置するようにすることで、高背電子部品１１と信号ケーブル１３１との干渉を、隆起部３２によって防ぐことができる。
【００４４】
また、隆起部３２は、積層方向Ｚにおいて、高背電子部品１１よりも第２電子回路基板２２側へ突出している。これによって、より確実に、高背電子部品１１と信号ケーブル１３１との干渉を防ぐことができる。
【００４５】
また、第１電子回路基板２１及び第２電子回路基板２２は、第１後方端縁２１２及び第２後方端縁２２２において、基板間ケーブル１３２を接続するための基板間接続用コネクタ１２２、１２３を配設してなる。これにより、信号コネクタ１２１と基板間接続用コネクタ１２２とを、第２電子回路基板２２における反対側の端縁に配置することとなり、これらの搭載スペースを確保しやすい。また、信号ケーブル１３１と基板間ケーブル１３２とが、第２電子回路基板２２を挟んで反対側に配されることとなるため、信号ケーブル１３１及び基板間ケーブル１３２の配置スペースを確保しやすく、また、両者間における電磁ノイズの影響を防ぐことができる。
【００４６】
以上のごとく、本例によれば、信号ケーブル及び信号コネクタにかかる物理的負荷を低減すると共に、第１電子回路基板の開放部に配された高背電子部品に信号ケーブルが干渉することを防ぐことができる電力変換装置を提供することができる。
【００４７】
（実施例２）
本例は、図９、図１０に示すごとく、隆起部３２の形状のバリエーションの例である。
図９に示す隆起部３２は、横方向Ｙにおける平坦面３２１の両端に、上方へ突出した凸状ガイド部３２３を一対設けた例である。この一対の凸状ガイド部３２３によって、信号ケーブル１３１を平坦面３２１上に保持し、信号ケーブル１３１の位置を制御しやすくなる。
【００４８】
また、図１０に示す隆起部３２は、横方向Ｙにおける平坦面３２１の両端から、上方へ延びると共に、横方向Ｙの内側に向かって屈曲する保持片３２４を一対形成した例である。これにより、隆起部３２における平坦面３２１と保持片３２４との間にケーブル１３１を保持させることができる。その結果、実施例１において示したケーブル保持部３５を設ける必要も特になくなる。この場合、前後方向Ｘにおけるステー３の小型化を図ることができる。
その他は、実施例１と同様の構成を有し、同様の作用効果を奏する。
【００４９】
（比較例）
本比較例は、図１１に示すごとく、ステー３の前方壁部３１に隆起部３２を設けない例である。その他の構成は、実施例１と同様である。
この場合、前方壁部３１よりも背の高い高背電子部品１１に対して、信号ケーブル１３１が干渉するおそれがある。特に、高背電子部品１１が、第２電子回路基板２２の第２前方端縁２２１よりも第１電子回路基板２１の第１前方端縁２１１に近い位置に配されている場合、信号ケーブル１３１との干渉が生じやすくなる。
【００５０】
なお、実施例１においては、ステー３の形状を略長方形状の枠体としたが、ステーの形状はこれに限られるものではない。例えば、実施例１において示したステー３において、後方壁部３７のない形状、すなわち前方壁部３１とその横方向Ｙの両端から後方へ延びる一対の側壁部とによって構成することもできる。あるいは、前方壁部３１と後方壁部３７とが別体に構成されたステーとしてもよい。
【符号の説明】
【００５１】
１  電力変換装置
１１  高背電子部品
１２１  信号コネクタ
１３１  信号ケーブル
２１  第１電子回路基板
２１０  開放部
２１１  第１前方端縁
２２  第２電子回路基板
２２１  第２前方端縁
３  ステー
３１  前方壁部
３２  隆起部
Ｚ  積層方向
【図１】
0005648627.tif 000002
【図２】
0005648627.tif 000003
【図３】
0005648627.tif 000004
【図４】
0005648627.tif 000005
【図５】
0005648627.tif 000006
【図６】
0005648627.tif 000007
【図７】
0005648627.tif 000008
【図８】
0005648627.tif 000009
【図９】
0005648627.tif 000010
【図１０】
0005648627.tif 000011
【図１１】
0005648627.tif 000012
【図１２】
0005648627.tif 000013
【図１３】
0005648627.tif 000014